(57)【要約】【課題】  タッチパネルなどの入力デバイスの操作性を向上させる。【解決手段】  表示面上に操作指示入力画像を表示する表示手段として機能する液晶パネル部１４と、上記液晶パネル部１４の表示面上で操作指示入力を受け付ける操作指示入力手段として機能するタッチパネル部１５と、上記タッチパネル部１５により受け付けた操作指示入力の上記液晶パネル部１４の表示面上での受け付位置を判断する位置検出手段として機能するタッチパネル制御部１３と、上記タッチパネル制御部１３により得られる上記操作指示入力の上記液晶パネル部１４の表示面上での受付位置情報に基づいて、デフォルトボタンの対象を判断するデフォルト判断手段として機能する制御部１０を備え、上記制御部１０は、デフォルト情報の設定により拡大した領域をデフォルトボタンの認識領域とする。【選択図】        図１
2009169825.tif 000002
【特許請求の範囲】
【請求項１】
表示面上に操作指示入力画像を表示する表示手段と、
上記表示手段の表示面上で操作指示入力を受け付ける操作指示入力手段と、
上記操作指示入力手段により受け付けた操作指示入力の上記表示手段の表示面上での受け付位置を判断する位置検出手段と、
上記位置検出手段により得られる上記操作指示入力の上記表示手段の表示面上での受け付位置情報に基づいて、デフォルトボタンの対象を判断するデフォルト判断手段とを備え、
上記デフォルト判断手段は、デフォルト情報の設定により拡大した領域をデフォルトボタンの認識領域とすることを特徴とする表示入力装置。
【請求項２】
上記操作指示入力手段は、上記表示手段の表示画面上に設けられたタッチパネルであることを特徴とする請求項１記載の表示入力装置。
【請求項３】
表示入力装置と、上記表示入力装置による操作入力により機能部の動作を制御する制御手段とを備え、
上記表示入力装置は、
表示面上に操作指示入力画像を表示する表示手段と、
上記表示手段の表示面上で操作指示入力を受け付ける操作指示入力手段と、
上記操作指示入力手段により受け付けた操作指示入力の上記表示手段の表示面上での受け付位置を判断する位置検出手段と、
上記位置検出手段により得られる上記操作指示入力の上記表示手段の表示面上での受け付位置情報に基づいて、デフォルトボタンの対象を判断するデフォルト判断手段とを備え、
上記デフォルト判断手段は、デフォルト情報の設定により拡大した領域をデフォルトボタンの認識領域とする
ことを特徴とする電子機器。
【請求項４】
表示入力装置に備えられたコンピュータにより実行される表示入力制御プログラムであって、
表示面上に操作指示入力画像を表示させ、
上記表示面上で操作指示入力を受け付け、
受け付けた操作指示入力の上記表示面上での受け付位置を判断し、
上記操作指示入力の上記表示手段の表示面上での受け付位置情報に基づいて、デフォルトボタンの対象を判断し、デフォルト情報の設定により拡大した領域をデフォルトボタンの認識領域とする表示入力制御を上記表示入力装置に備えられたコンピュータに実行させることを特徴とする表示入力制御プログラム。
【発明の詳細な説明】
【技術分野】
【０００１】
本発明は、タッチパネルやマウスなどの入力デバイスを備える表示入力装置、電子機器及び表示入力制御プログラムに関する。
【背景技術】
【０００２】
近年、パーソナルコンピュータやファクシミリ装置などの情報処理装置では、主としてユーザの操作を簡便にする目的で、対話的なマンマシンインタフェースが取り入れられることが多くなってきており、そのマンマシンインタフェースの１つの形態として、ウインドシステムがある。
【０００３】
ウインドシステムは、効果的なマンマシンインタフェースとしてよく知られたＧＵＩ（Ｇｒａｐｈｉｃａｌ Ｕｓｅｒ Ｉｎｔｅｒｆａｃｅ）の１種であり、例えば、１つの処理プロセスに対応して、画面表示装置に表示した矩形状の領域（これを表示窓という）を、表示画面として仮想的に割り当て、その処理プロセスの処理状態に応じて、操作ガイダンス情報やその操作ガイダンス情報に応じた操作を指定するための操作シンボル（例えば、操作ボタンなど）を、表示するようにしたものである。
【０００４】
また、画面表示装置に複数の表示窓を表示できるようにしたマルチウインドシステムも実用されている。この場合、複数の表示窓のうち、特定の一つが選択状態になっており、その選択状態になっている注目表示窓に対して、ユーザが任意の操作を行うことができる。また、その注目表示窓は、ユーザが適宜に切り換えることができる。
【０００５】
また、このようなウインドシステムあるいはマルチウインドシステムでは、その表示窓の操作シンボルを適宜に操作するために、表示画面中の任意の座標を指定するための画面指示装置が用いられる。この画面指示装置としては、例えば、表示画面を直接タッチ操作して座標を入力するタッチパネル装置、または、入力座標をあらわすマウスカーソルを操作するいわゆるマウス装置が用いられることが多い。
【０００６】
例えば、複写機やファクシミリ等の入力装置では、ますます多くの機能が搭載され、各機能を選択するためのメニューキーが著しく増加する傾向にある。このような状況に対応すべく、その表示部に所定の画面を表示する表示手段と、前記表示部上に配置され、その操作位置を検出するタッチパネルと、前記表示手段に複数のソフトウェアキーからなる入力画面を表示させる表示制御手段と、前記タッチパネルにより検出される操作位置に基づいて前記ソフトウェアキーへの操作を検出する操作検出手段を備え、前記表示手段に表示されるソフトウェアキーを前記タッチパネルで選択することを可能とした入力装置が多用されている。
【０００７】
従来より、ウインドシステムまたはマルチウインドシステムは、ユーザの操作を簡便にすることができる非常に優れた手段として知られているが、画面指示装置を用いてユーザが操作する必要があるため、多少、操作の手間がかかるので、操作の手間を軽減できる表示入力装置の制御方法として、タッチパネル上などで表示されている枠内のボタンについて、デフォルトとされるボタンがある場合には、タッチペン側のボタンの操作でも操作可能とすることが提案されている（例えば、特許文献１参照）。
【０００８】
【特許文献１】特開平７−１７５５７４号公報
【発明の開示】
【発明が解決しようとする課題】
【０００９】
ところで、上記特許文献１で提案されている方法では、タッチパネルの操作において、タッチペンを用いる場合で、かつ、ボタンをもち、タッチペンでのボタン操作の送受信などの手段が必要となり、全てのタッチパネルで利用することはできない。
【００１０】
タッチパネルなど表示入力装置では、その表示領域が限られ、表現の都合などから操作するボタン領域を十分に確保することは難しいので、ボタンの認識性を向上するため、ボタン周辺の認識精度を上げたり、なぞることで認識することがおこなわれている。こうしたボタン操作に置いて、表示されている画面を閉じるなど、予めそうした画面に必ず存在するボタンについて、デフォルトボタンと定義しておくことで、タッチペン側のボタンを操作することで、ボタンのタッチの手間を省くことができるが、そうした操作を可能とするタッチペンが必要である。
【００１１】
そこで、本発明の目的は、上述の如き従来の問題点に鑑み、タッチパネルなどの入力デバイスの操作性を向上させた表示入力装置、電子機器及び表示入力制御プログラムを提供することにある。
【００１２】
本発明の更に他の目的、本発明によって得られる具体的な利点は、以下に説明される実施の形態の説明から一層明らかにされる。
【課題を解決するための手段】
【００１３】
本発明では、良く使われるボタンなどのタッチ操作を簡略化することで、入力デバイスの操作性を向上させる。
【００１４】
すなわち、ある画面ではデータの表示だけを行う場合などの場合には、次の動作を行うボタンとしては前の画面に戻るためのボタンなどが存在する。こうした、必ず操作するボタンや、使用頻度の高いボタンをデフォルトボタンと位置づけ、こうしたボタン操作を簡略化するため、表示されているボタンの領域を対象とするのではなく、無効な領域全てをこのボタンの認識領域とする。
【００１５】
本発明に係る表示入力装置は、表示面上に操作指示入力画像を表示する表示手段と、上記表示手段の表示面上で操作指示入力を受け付ける操作指示入力手段と、上記操作指示入力手段により受け付けた操作指示入力の上記表示手段の表示面上での受け付位置を判断する位置検出手段と、上記位置検出手段により得られる上記操作指示入力の上記表示手段の表示面上での受け付位置情報に基づいて、デフォルトボタンの対象を判断するデフォルト判断手段とを備え、上記デフォルト判断手段は、デフォルト情報の設定により拡大した領域をデフォルトボタンの認識領域とすることを特徴とする。
【００１６】
本発明に係る表示入力装置において、上記操作指示入力手段は、例えば、上記表示手段の表示画面上に設けられたタッチパネルである。
【００１７】
本発明に係る電子機器は、表示入力装置と、上記表示入力装置による操作入力により機能部の動作を制御する制御手段とを備え、上記表示入力装置は、表示面上に操作指示入力画像を表示する表示手段と、上記表示手段の表示面上で操作指示入力を受け付ける操作指示入力手段と、上記操作指示入力手段により受け付けた操作指示入力の上記表示手段の表示面上での受け付位置を判断する位置検出手段と、上記位置検出手段により得られる上記操作指示入力の上記表示手段の表示面上での受け付位置情報に基づいて、デフォルトボタンの対象を判断するデフォルト判断手段とを備え、上記デフォルト判断手段は、デフォルト情報の設定により拡大した領域をデフォルトボタンの認識領域とすることを特徴とする。
【００１８】
さらに、本発明は、表示入力装置に備えられたコンピュータにより実行される表示入力制御プログラムであって、表示面上に操作指示入力画像を表示させ、上記表示面上で操作指示入力を受け付け、受け付けた操作指示入力の上記表示面上での受け付位置を判断し、上記操作指示入力の上記表示手段の表示面上での受け付位置情報に基づいて、デフォルトボタンの対象を判断し、デフォルト情報の設定により拡大した領域をデフォルトボタンの認識領域とする表示入力制御を上記表示入力装置に備えられたコンピュータに実行させることを特徴とする。
【発明の効果】
【００１９】
本発明では、必ず操作するボタンや、使用頻度の高いボタンをデフォルトボタンと位置づけ、表示されているボタンの領域を対象とするのではなく、無効な領域全てをこのボタンの認識領域とすることにより、こうしたボタン操作を簡略化することができ、入力デバイスの操作性を向上させた表示入力装置、電子機器及び表示入力制御プログラムを提供することができる。
【発明を実施するための最良の形態】
【００２０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００２１】
本発明は、例えば図１に示すように、コンピュータ（ＣＰＵ）からなる制御部１０により制御される画像読取部や印刷処理部などの機能部２０を備えるディジタル複合機等の電子機器１００に適用される。
【００２２】
この電子機器１００は、表示入力装置５０からの操作入力を制御部１０により受け付けて機能部２０を動作させるようにしたものであって、上記表示入力装置５０は、上記制御部１０に接続されたメモリ１１、液晶表示制御部１２、タッチパネル制御部１３、上記液晶表示制御部１２に接続された液晶パネル部１４、上記タッチパネル制御部１３に接続されたタッチパネル部１５などを備えている。
【００２３】
この表示入力装置５０において、上記液晶表示制御部１２は、図示しないビデオＲＡＭラムや液晶ドライバからなり、上記制御部１０による指示にしたがって、上記液晶パネル部１４を駆動して、上記タッチパネル部１５からの入力情報を操作指示入力画像として上記液晶パネル部１４に画面表示する。
【００２４】
上記タッチパネル部１５は、上記液晶パネル部１４の表示面上に設けられており、例えば、透明な抵抗層と電極を蒸着した２枚の透明樹脂フィルムを向かい合わせに配置することにより形成したタッチセンサ層を備え、上記液晶パネル部１４の表示面上において押圧操作された位置を検出する位置検出デバイスである。
【００２５】
そして、上記タッチパネル制御部１３は、上記制御部１０による指示にしたがって定義した上記タッチパネル部１５のタッチエリアの押圧操作を受け付けて、受け付けた操作入力を制御部１０に与える。
【００２６】
この表示入力装置５０は、その基本構成を図２に示すように、タッチ入力を受け付けるタッチ入力手段５１、上記タッチ入力手段５１がタッチされた位置を判断するタッチ位置検出手段５２、上記タッチ位置検出手段５２により得られるタッチ位置情報に基づいて、デフォルトボタンの対象を判断し、他の有効領域以外がタッチされた場合には、デフォルトボタンがタッチされたと判断するデフォルト判断手段５３からなり、上記タッチパネル部１５が上記タッチ入力手段５１として機能し、また、上記タッチパネル制御部１３が上記タッチ位置検出手段５２として機能し、さらに、上記制御部１０が上記デフォルト判断手段５３として機能している。
【００２７】
そして、この表示入力装置５０では、図３のフローチャートに示すように、上記タッチ入力手段５１すなわちタッチパネル部１５によりタッチ入力を受け付けると（ステップＳ１）、上記デフォルト判断手段５３すなわち上記制御部１０は、上記タッチ入力手段５１がタッチされた位置を判断するタッチ位置検出手段５２すなわち上記タッチパネル制御部１３により得られるタッチ位置情報に基づいて、上記タッチ入力手段５１がタッチされた位置が有効領域であるか否かを判定し（ステップＳ２）、その判定結果がＹＥＳすなわちタッチされた位置が有効領域である場合は、そのタッチエリアに定義されている対象ボタンの処理を実行する（ステップＳ３）。
【００２８】
また、上記制御部１０は、上記ステップＳ２における判定結果がＮＯすなわちタッチされた位置が有効領域でない場合は、デフォルト情報の有無を判定し（ステップＳ４）、その判定結果がＹＥＳすなわちタッチされた位置にデフォルト情報が設定されている場合には、そのタッチエリアにデフォルト情報として定義されている対象ボタンの処理を実行し（ステップＳ３）、また、上記ステップＳ４における判定結果がＮＯすなわちタッチされた位置にデフォルト情報が設定されていない場合には、そのまま処理を終了する。
【００２９】
すなわち、この表示入力装置５０における制御部１０は、メモリ１１に表示制御プログラムに従って、表示面上に操作指示入力画像を表示させ、上記表示面上で操作指示入力を受け付け、受け付けた操作指示入力の上記表示面上での受け付位置を判断し、上記操作指示入力の上記表示面上での受け付位置情報に基づいて、デフォルトボタンの対象を判断し、デフォルト情報の設定により拡大した領域をデフォルトボタンの認識領域とする表示入力制御を行う。
【００３０】
ここで、上記制御部１０は、例えば、図４の（Ａ）に示すような画面を上記液晶パネル部１４に表示している状態で、図４の（Ｂ）に網掛けして示すように、［Close］ボタン４１だけでなく、全ての画面範囲を［Close］ボタン４１の認識範囲とするデフォルト情報を設定しておくことができる。この場合、表示としては、認識し易いように［Close］ボタン４１の表示はそのまま行う。
【００３１】
また、上記制御部１０は、例えば、図５の（Ａ）に示すように設定を行う画面で、設定を確定する［ＯＫ］ボタン４２と設定をキャンセルする［Cancel］ボタン４３がある場合に、［ＯＫ］ボタン４２をデフォルトとし、表示上も二重線や太線で他の有効領域と区別し、図５の（Ｂ）に網掛けして示す領域を［ＯＫ］ボタン４２の認識範囲とするデフォルト情報を設定しておくことができる。
【００３２】
さらに、上記制御部１０は、例えば、図６に示すように、複数のウインドウ４５Ａ，４５Ｂ・・・が開く様な形式の場合には、そのウインドウ４５Ａ内をデフォルト情報の設定の有効領域とする。
【００３３】
このように、ある画面ではデータの表示だけを行う場合などにおける次の動作を行うボタンとして設けられている前の画面に戻るためのボタンなど、必ず操作するボタンや、使用頻度の高いボタンをデフォルトボタンと位置づけ、表示されているボタンの領域を対象とするのではなく、無効な領域全てをこのボタンの認識領域とすることにより、こうしたボタン操作を簡略化することができる。
【００３４】
すなわち、この表示入力装置５０は、表示面上に操作指示入力画像を表示する表示手段として機能する液晶パネル部１４と、上記液晶パネル部１４の表示面上で操作指示入力を受け付ける操作指示入力手段として機能するタッチパネル部１５と、上記タッチパネル部１５により受け付けた操作指示入力の上記液晶パネル部１４の表示面上での受け付位置を判断する位置検出手段として機能するタッチパネル制御部１３と、上記タッチパネル制御部１３により得られる上記操作指示入力の上記液晶パネル部１４の表示面上での受付位置情報に基づいて、デフォルトボタンの対象を判断するデフォルト判断手段として機能する制御部１０を備え、上記制御部１０は、デフォルト情報の設定により拡大した領域をデフォルトボタンの認識領域とする。
【００３５】
なお、以上説明した電子機器１００では、表示画面を直接タッチ操作して座標を入力するタッチパネル部１５を備える表示入力装置５０に本発明を適用したが、本発明は、上記実施の形態のみに限定されるものでなく、例えば、入力座標をあらわすマウスカーソルを操作するいわゆるマウス装置を用いる表示入力装置に適用することもできる。
【図面の簡単な説明】
【００３６】
【図１】本発明を適用した電子機器の構成を示すブロック図である。
【図２】上記電子機器に備えられた表示入力装置の基本構成を示すブロック図である。
【図３】上記表示入力装置の動作を示すフローチャートである。
【図４】上記表示入力装置における制御部により制御された液晶パネル部の表示状態の一例を模式的に示す図である。
【図５】上記表示入力装置における制御部により制御された液晶パネル部の表示状態の他の例を模式的に示す図である。
【図６】上記表示入力装置における制御部により制御された液晶パネル部の表示状態の更に他の例を模式的に示す図である。
【符号の説明】
【００３７】
１０  制御部、１１  メモりメ、１２  液晶表示制御部、１３  タッチパネル制御部、１４  液晶パネル部、１５  タッチパネル部、２０機能部、５０  表示入力装置、１００電子機器
【図１】
2009169825.tif 000003
【図２】
2009169825.tif 000004
【図３】
2009169825.tif 000005
【図４】
2009169825.tif 000006
【図５】
2009169825.tif 000007
【図６】
2009169825.tif 000008